(57)【要約】  開示する実施例は、複数のタイム・スロットに分解されるデータ信号を送信する送信機を具える通信システムに関する。送信機は、複数のタイム・スロットのサブセットの中に通信データを挿入し、通信システムに関する情報を表すヌル・データを発生する。他の実施例は、複数のタイム・スロットに分解されるデータ信号を受信する受信機（４０）を具える通信システムに関する。受信機（４０）は、複数のタイム・スロットのサブセットに対応する、データ信号内の相関ピーク（２２、２４）を識別する。複数のタイム・スロットのサブセットの中に、通信システムに関する情報を表すヌル・データが含まれる。受信機（４０）は、論理値と相関ピーク（２２、２４）を関連づけ（５６）、論理値を復号化し（６２）、通信システムに関する情報を得る。
2007525091.tif 000002
【特許請求の範囲】
【請求項１】
複数のタイム・スロット（ｔｉｍｅ  ｓｌｏｔｓ）に分解されるデータ信号を送信する送信機を具える通信システムであって、該送信機が、
複数のタイム・スロットのサブセットの中に通信データを挿入し、
通信システムに関する情報を表すヌル・データ（ｎｕｌｌ  ｄａｔａ）を発生し、
通信データで占められていない複数のタイム・スロットのサブセット（ｓｕｂｓｅｔ）の中に前記ヌル・データを挿入する、前記通信システム。
【請求項２】
通信システムが、ＴＤＭＡ（ｔｉｍｅ  ｄｉｖｉｓｉｏｎ  ｍｕｌｔｉｐｌｅ  ａｃｃｅｓｓ：時分割多重アクセス）通信システムである、請求項１記載の通信システム。
【請求項３】
通信システムが、ＤＳＳＳ（ｄｉｒｅｃｔ  ｓｅｑｕｅｎｃｅ  ｓｐｒｅａｄ  ｓｐｅｃｔｒｕｍ：直接シーケンス拡散スペクトラム）通信システムである、請求項１記載の通信システム。
【請求項４】
通信データが、ＦＥＣ（ｆｏｒｗａｒｄ  ｅｒｒｏｒ  ｃｏｒｒｅｃｔｉｏｎ：前方向誤り訂正）コードで符号化され、ヌル・データがＦＥＣコードで符号化されない、請求項１記載の通信システム。
【請求項５】
ヌル・データがＦＥＣコードで符号化される、請求項１記載の通信システム。
【請求項６】
通信データで占められていない複数のタイム・スロットのサブセットが、通信データで占められていないタイム・スロットのすべてを含む、請求項１記載の通信システム。
【請求項７】
通信システムに関する情報の中に、ヌル・データが挿入されているタイム・スロットに関連する識別子が含まれる、請求項１記載の通信システム。
【請求項８】
通信システムに関する情報の中に、送信機がデータ信号を送信している電力レベルが含まれる、請求項１記載の通信システム。
【請求項９】
複数のタイム・スロットに分解されるデータ信号を受信する受信機（４０）を具える通信システムにおいて、該受信機が、
通信システムに関する情報を表すヌル・データを含む複数のタイム・スロットのサブセットに対応する相関ピーク（２２、２４）をデータ信号内で識別し（５０）、
論理値と相関ピーク（２２、２４）とを関連づけ（５６）、
論理値を復号化し（６２）、通信システムに関する情報を得る、前記通信システム。
【請求項１０】
前記複数のタイム・スロットのサブセットが通信データを含まない、請求項９記載の通信システム。
【請求項１１】
受信機が、通信システムに関する情報を使用して、通信データを含むパケットの復号化に使用する同期パラメータを設定する（６０）、請求項９記載の通信システム。
【請求項１２】
受信機が、通信システムに関する情報を使用して、通信データを含むパケットを復号化する、請求項９記載の通信システム。
【請求項１３】
通信システムが、ＴＤＭＡ通信システムである、請求項９記載の通信システム。
【請求項１４】
通信システムが、ＤＳＳＳ通信システムである、請求項９記載の通信システム。
【請求項１５】
ＦＥＣコードを使用せずに論理値が復号化される、請求項９記載の通信システム。
【請求項１６】
ＦＥＣコードを使用して論理値が復号化される、請求項９記載の通信システム。
【請求項１７】
通信システムに関する情報の中に、ヌル・データが挿入されるタイム・スロットに関連する識別子が含まれる、請求項９記載の通信システム。
【請求項１８】
通信システムに関する情報の中に、送信機がデータ信号を送信している電力レベルが含まれる、請求項９記載の通信システム。
【請求項１９】
データ信号が複数のタイム・スロットに分解され、複数のタイム・スロットのサブセットの中に通信システムに関する情報を表すヌル・データが含まれる、前記データ信号を解釈する方法であって、
前記複数のタイム・スロットのサブセットに対応する相関ピークを前記データ信号内で識別するステップ（５０）と、
論理値と相関ピークとを関連づけるステップ（５６）と、
通信システムに関する情報を得るために論理値を復号化するステップ（６２）と、から成る、前記方法。
【請求項２０】
通信システムに関する情報を使用して、通信データが入っているデータ・パケットを復号化するステップを含む、請求項１９記載の方法。  
【発明の詳細な説明】
【技術分野】
【０００１】
本発明は、ＤＳＳＳ（ｄｉｒｅｃｔ  ｓｅｑｕｅｎｃｅ  ｓｐｒｅａｄ  ｓｐｅｃｔｒｕｍ：直接スペクトラム拡散）通信システムでのＴＤＭＡ（ｔｉｍｅ  ｄｉｖｉｓｉｏｎ  ｍｕｌｔｉｐｌｅ  ａｃｃｅｓｓ：時分割多重アクセス）の改善に関する。
【背景技術】
【０００２】
このセクションは、本発明に関する種々の技術態様を読者に紹介する意図のものであって、以下の記述は本発明の種々の態様の理解を容易にする背景情報を読者に提供するのに役立つと信じる。従って、説明はこのような観点で読まれるべきで、従来技術を容認するものとして読まれるべきでない。
【０００３】
ＴＤＭＡ通信システムで、ベース・ユニットは、他のベース・ユニットと複数のローカル・モバイル端末（ハンドセットとも称される）間の通信を容易にする。ベース・ユニットとモバイル端末（ＭＴ）は、特定の周波数（または周波数グループ）でデータ信号を送信／受信できる。データ信号は、タイム・スロットとして知られる多数の小さいインクリメントに分割され、データ信号の各サイクルの間に繰り返される。ＴＤＭＡを使用し、多数のデータ送信セッションが同時に行われる。一定の通信セッションの間、モバイル端末は特定のタイム・スロットが割り当てられ、そのモバイル端末からのデータは、通信セッションの間、割り当てられたタイム・ストロット内で送信される。一定の基地局の環境で、少なくとも幾つかのＴＤＭＡタイム・スロットは或る一定の時に使用されていない。
【０００４】
ＤＳＳＳシステムのような拡散スペクトル（ｓｐｒｅａｄ  ｓｐｅｃｔｒｕｍ）通信システムにＴＤＭＡが使用される。ＤＳＳＳシステムでは、広帯域に拡散するコードを元のデータ信号に掛け、元のデータ信号を拡散する。拡散により、比較的高電力のスペクトル密度を有する狭帯域信号を低電力のスペクトル密度を有する高帯域信号に変換する。信号のエネルギは広い周波数範囲に広げられ、ＤＳＳＳ信号は雑音レベル以下になる。
【０００５】
拡散するコードとの相関から得られる相関利得のために、ＤＳＳＳ受信機はその信号を処理できる。ＤＳＳＳ信号は、その電力スペクトル密度が低いために、検出するのが困難であり、その周波数帯域内にある他の信号とほとんど干渉を生じない。
【０００６】
受信しているＴＤＭＡ構造に同期する典型的方法は、種々のタイム・スロットに関連するデータ・パケット内に含まれるペイロード・データを復号化し、復号化されたパケットのＴＤＭＡ構造内での参照点を決定する。このスキームでは、受信するシステムがまず最初に、パケットの境界を確実に検出し、それから、関連するＴＤＭＡ情報を抽出するためにそのパケットを復調し復号化できることが要求される。このような最初のパケット境界の検出は、特に信号対雑音比（ＳＮＲ）が低い状態では実行が困難である。
【０００７】
典型的方法の例として、受信したデータ信号を擬似雑音シーケンスと相関させ、相関のピーク位置を決定する。相関のピーク位置が知られるとパケットの境界が固定され、ペイロード・データが、識別された境界に対するデータの位置に基づいて、復号化される。このようなスキームでは、相関ピークを検出しても、ＦＥＣ（前方向誤り訂正）でペイロード・データが復号化されるまで、ＴＤＭＡ構造に関する情報は得られない。ＦＥＣで符号化されたペイロード・データを復号化せずに相関領域内でデータ信号のＴＤＭＡ構造を確実に決定でき、ＴＤＭＡの獲得を高速化し、その精度を高める装置と方法が望まれる。
【発明の開示】
【０００８】
（発明の概要）
開示する実施例は、複数のタイム・スロットに分割されるデータ信号の送信に適する送信機を具える。送信機は、複数のタイム・スロットのサブセットの中に通信データを挿入し、その通信システムに関する情報を表すヌル（ｎｕｌｌ）データを発生する。ヌル・データは通信データで占められていない複数のタイム・スロットのサブセットの中に挿入される。
【０００９】
開示する他の実施例は、複数のタイム・スロットに分割されるデータ信号の受信に適する受信機を具える。受信機は、複数のタイム・スロットのサブセットに対応する相関ピークをデータ信号内で識別する。複数のタイム・スロットのサブセットの中に、通信システムに関する情報を表すヌル・データが含まれる。受信機は、論理値を相関ピークに関連づけ、その論理値を復号化して、通信システムのＴＤＭＡ構造に関する情報を得る。
【発明を実施するための最良の形態】
【００１０】
本発明の実施例を以下に説明する。説明を簡潔にするため、実施例の特徴のすべてがこの明細書に記述されているわけではない。このような実施例の開発において、工学／設計プロジェクトにおけるように、システム関連／ビジネス関連の制約の順守のような、開発者の目標達成のため、実施に特有の決定がなされることが理解されるべきである。このような開発の努力は、複雑で時間を要するが、この開示から利益を得る当業者にとって設計、組立ておよび製作の日常的作業であることが理解されるべきである。
【００１１】
図１は、本発明の実施例によるＴＤＭＡ基地局でのＴＤＭＡ構造を示し、全体として参照番号１０で表す。ＴＤ１はコマンド・データ送信スロットを表す。ＲＤ１は、コマンド・データ受信スロットを表す。ＴＤ１とＲＤ１で始まる行は第１の水平スロットを構成する。ＴＳ１、ＴＳ２、ＴＳ３、ＴＳ４はそれぞれ、種々の奇数と偶数の送信タイム・スロットに対応する。ＲＳ１、ＲＳ２、ＲＳ３、ＲＳ４はそれぞれ、種々の奇数と偶数の受信タイム・スロットに対応する。ｎ番目の水平スロットは、コマンド・データ送信スロットＴＤｎとコマンド・データ受信スロットＲＤｎでそれぞれ始まる２つの行で表される。
【００１２】
一定の時間に、通信データを送信する目的に送信スロットＴＳｎが使用されないこともある。送信スロットが使用されない理由は、通信データ用にタイム・スロットを必要とする通信セッションにモバイル端末が関与していないことによる。「ヌル・データ」とは、予め規定される署名（ｓｉｇｎａｔｕｒｅ）パケットを意味し、既に占有されているＴＤＭＡスロットで送信されるデータを含む情報を伝達するペイロード・パケットとは異なる。「ヌル」は、オール・ゼロ（ａｌｌ‐ｚｅｒｏ）パケットを意味するものではない。
【００１３】
各タイム・スロットは、未使用のタイム・スロットに組み込まれるそれ自身の所定の識別パターンを与えられる。相関ピークを調べて、データが決定されてから、データ・パケット自体が受信機で復号化される。基地局との初期の同期を設定することを望むモバイル端末は、受信した信号を相関させ、受信しているパケットの種類を直ちに確かめ、どのタイム・スロットが送信に利用できるかを決定する。
【００１４】
基地局より送られるヌル・パケットは、相関領域内での関連するタイム・スロットの実体を表示する情報を搬送する。これは、相関パターン自体が、基地局より送られる情報を表すことを意味する。従って、通信リンクを設定することを望むモバイル装置（ハンドセット：送受器）は、プロトコルの層を通過しペイロード・データを復号化せずに、利用できるタイム・スロットを直ちに見つけることができる。スリープモードから‘ウェイクアップする’ハンドセットは、受信した相関パターンをマッチ（整合）させ、タイミングと搬送波オフセットとを調節することにより、素早く再同期できる。
【００１５】
図２は、図１に示すＴＤＭＡ構造に対応する相関領域のデータをグラフで示す。図２に示すグラフは全体を参照番号２０で表す。グラフ２０のｘ軸は相関インデクス値の範囲を示し、ｙ軸は受信したＴＤＭＡ信号の振幅を示す。
【００１６】
複数の正の相関ピーク２２は、図１に示す送信スロット（ＴＳ）内で送信される種々のシンボルに対応する。複数の負の相関ピーク２４も、図１に示す送信スロット（ＴＳ）で送信される種々のシンボルに対応する。図２で、説明のため、３つの正の相関ピークを参照番号２２で表し、３つの負の相関ピークを参照番号２４で表す。相関ピーク２２とほぼ同じ正の振幅を有し且つ相関ピーク２４と同じ負の振幅を有する他の相関ピークも図２に示されていることは当業者に理解される。
【００１７】
図２に示す相関ピークのパターンは、モバイル装置（ハンドセット受信機）がＴＤＭＡシステムのパラメータを決定するのに役立つ情報を表す。この情報を伝達するヌル・パケットの中に符号化されるデータには、そのパケットが基地局またはモバイル装置によって送られたか否か、パケットが受信されたタイム・スロットの実体（垂直スロット番号、水平スロット番号、スロットが奇数か偶数か）、送信電力レベル、強いか弱いか、ＦＥＣなど、が含まれる。図１に示すＴＤＭＡ構造および図２に示す対応する相関ピーク・データにおいて、８つのオーディオおよび１つのコマンド・データ・スロットは、相関ピークのパターンを少なくとも９つ必要とする。
【００１８】
図２に示す相関ピークは、‘０’または‘１’のような論理値を割り当てられる。負の相関ピークは、論理「１」にマップされ、正の相関ピークは論理「０」にマップされ、またはこれと逆になる。相関ピーク・パターンは、相関領域内で各パターンが他のパターンから最大距離を有するように設計される。例えば、相関ピーク・データＡ＝（１０１０）のグループと相関ピーク・データＢ＝（０１００）のグループ間の距離は、データ要素が異なる場所の数として距離を定義するなら、３である。ヌル・パケット間の最大距離は、より良いパターン・マッチングを生じる。
【００１９】
各データ・パケット内に５１のシンボルが含まれるなら、ペイロード・データから発生される相関は署名相関と同じであるが、解決法として、署名パターンに冗長性を使用することが可能である。一般に、ペイロード・データは、ランダム化され、期間の長い０または１のストリングの繰返しは稀である。署名パターンで、ペイロード・データで発生されるパターンと署名パターンが同じにならないように、０または１を故意に反復することができる。検出を曖昧にしない別の方法は、予め規定される数のパケットで分離される複数の時間に（２回またはそれ以上）生じる相関パターンを捜すことである。１つのペイロード・パターンが、指定された複数の署名パターンの１つに繰り返しマッチする可能性は低い。
【００２０】
図３は、本発明の実施例によるＴＤＭＡ基地局での別のＴＤＭＡデータ構造を示し、全体を参照番号３０で示す。第１の水平スロットは奇数行と偶数行から成る。偶数行に、コマンド・データ送信スロットＢＴ＿Ｄ１および占有されたデータ送信スロットＢＴ＿Ａ１とＢＴ＿Ａ４が含まれる。偶数行に、占有されたデータ受信スロットＢＲ＿Ａ１とＢＲ＿Ａ４も含まれる。空いている偶数データ受信スロット（ハッチ線で示す）はＢＲ＿Ｓ２とＢＲ＿Ｓ３で表される。最後に、空いている偶数データ送信スロット（ハッチ線で示す）はＢＴ＿Ｓ２とＢＴ＿Ｓ３で表される。空いている偶数送信スロットＢＴ＿Ｓ２とＢＴ＿Ｓ３は、図１と図２に関して上述したように、ＴＤＭＡ署名データで充たされる。
【００２１】
第１の水平スロットの奇数行には、コマンド・データ受信スロットＢＲ＿Ｄ１および占有されたデータ送信スロットＢＴ＿Ａ１とＢＴ＿Ａ４が含まれる。奇数行には、占有されたデータ受信スロットＢＲ＿Ａ１とＢＲ＿Ａ４も含まれる。空いている偶数データ受信スロット（ハッチ線で示す）は、ＢＲ＿Ｓ２とＢＲ＿Ｓ３で表される。最後に、空いている奇数データ送信スロット（ハッチ線で示す）はＢＴ＿Ｓ２とＢＴ＿Ｓ３で表される。空の奇数データ送信スロットＢＴ＿Ｓ２とＢＴ＿Ｓ３は、図１と図２に関して上述したように、ＴＤＭＡ署名データで充たされる。   
【００２２】
図３に、ｎ番目の水平スロットも図示されている。ｎ番目の水平スロットのタイム・スロットは、第１の水平スロットにおける同名のタイム・スロットに対応する。
【００２３】
図４は、本発明の実施例による、ヌル・パケットを受信し解釈する装置をブロック図で示す。このブロック図は全体が参照番号４０で表される。
【００２４】
アンテナ４２は、ＤＳＳＳ通信システムにおけるＴＤＭＡ基地局から送信されるデータを受信する。受信されたデータ信号は、フロントエンド処理ブロック４４による前処理をなされてから、フィルタ・ブロック４６でフィルタリング（濾波）される。濾波されたデータ信号は、デスプレッダ（ｄｅ‐ｓｐｒｅａｄｅｒ）４８によって拡散解除（相関処理）される。デスプレッダ４８の出力は、相関ピーク検出器５０に送られ、検出器５０は、図１と図２に関して上述したヌル・パケットを含むデータの閾値レベルを決定するのに役立つ閾値入力５２を受信する。
【００２５】
相関ピーク検出器の出力はピーク・ビット・マッパ（ｍａｐｐｅｒ）５６に送られ、マッパ５６は、相関されたピーク・ビットを論理「０」と論理「１」に変換する。この相関されたピーク・ビットの論理的変換の結果として、データ信号を発生した送信機により空のタイム・スロット内に組み込まれた署名データに対応するデータを生じる。相関ピーク・ビット検出器５０の出力はオプションで、従来のデコーダ５４に送られて、ＦＥＣで復号化される。
【００２６】
マッパ５６からの署名データは確認器／デコーダ５８に伝達され、確認器／デコーダ５８は、ヌル・パケットに組み込まれた署名データを解釈する。確認器／デコーダ５８は誤り訂正能力も具える。例えば、ヌル・パケット内に含まれる情報はＦＥＣブロック・コードで符号化される。ＦＥＣブロック・コードは、相関ピークでマップされた０と１に適用され、非常に低いＳＮＲ環境による誤りを訂正する。パリティ・ビットまたは他の形の誤り点検・訂正も用いられ、マップされたビットの完全な状態が点検される。
【００２７】
制御ブロック６０は、確認器（バリデータ）／デコーダ５８から署名データを受信し、そのデータを使用し、同期パラメータをセット（設定）／ロードして、署名データの代りに通信データを含むデータ・パケットに適用する。空のタイム・スロットから復号化される署名データが正確に解釈されると、実際のデータを含むスロットからのペイロード・データはデコーダ６２で復号化される。
【００２８】
本発明は種々の変更と代替形態を受け入れ、具体的な実施例が図示され詳細に説明されている。しかしながら、本発明はここに開示する特定の形態に限定されないことが理解されるべきである。本発明には、特許請求の範囲に記載された本発明の技術思想と、その範囲に入る変更、同等物および代替物がすべて包含される。
【図面の簡単な説明】
【００２９】
【図１】本発明の実施例による、ＴＤＭＡ構造を示す。
【図２】図１に示すＴＤＭＡ構造に対応する相関領域のデータをグラフで示す。
【図３】本発明の実施例による、代りのＴＤＭＡデータ構造を示す。
【図４】本発明の実施例による、ヌル・パケットを受信し解釈する装置をブロック図で示す。
【図１】
2007525091.tif 000003
【図２】
2007525091.tif 000004
【図３】
2007525091.tif 000005
【図４】
2007525091.tif 000006
【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
複数のタイム・スロットに分解されるデータ信号を送信する送信機を具える通信システムであって、該送信機が、
複数のタイム・スロットのサブセットの中に通信データを挿入し、
通信システムに関する情報を表すヌル・データを発生し、
前記通信データで占められていない複数のタイム・スロットのサブセットの中に前記ヌル・データを挿入する、前記通信システム。
【請求項２】
通信システムが、ＴＤＭＡ（ｔｉｍｅ  ｄｉｖｉｓｉｏｎ  ｍｕｌｔｉｐｌｅ  ａｃｃｅｓｓ：時分割多重アクセス）通信システムである、請求項１記載の通信システム。
【請求項３】
前記通信システムが、ＤＳＳＳ（ｄｉｒｅｃｔ  ｓｅｑｕｅｎｃｅ  ｓｐｒｅａｄ  ｓｐｅｃｔｒｕｍ：直接シーケンス拡散スペクトラム）通信システムである、請求項１記載の通信システム。
【請求項４】
前記通信データが、ＦＥＣ（ｆｏｒｗａｒｄ  ｅｒｒｏｒ  ｃｏｒｒｅｃｔｉｏｎ：前方向誤り訂正）コードで符号化され、ヌル・データがＦＥＣコードで符号化されない、請求項１記載の通信システム。
【請求項５】
前記ヌル・データがＦＥＣコードで符号化される、請求項１記載の通信システム。
【請求項６】
前記通信データで占められていない複数のタイム・スロットのサブセットが、前記通信データで占められていないタイム・スロットのすべてを含む、請求項１記載の通信システム。
【請求項７】
前記通信システムに関する情報の中に、前記ヌル・データが挿入されているタイム・スロットに関連する識別子が含まれる、請求項１記載の通信システム。
【請求項８】
前記通信システムに関する情報の中に、送信機がデータ信号を送信している電力レベルが含まれる、請求項１記載の通信システム。
【請求項９】
複数のタイム・スロットに分解されるデータ信号を受信する受信機を具える通信システムにおいて、該受信機が、
通信システムに関する情報を表すヌル・データを含む複数のタイム・スロットのサブセットに対応する相関ピークをデータ信号内で識別し、
論理値と相関ピークとを関連づけ、
論理値を復号化し、通信システムに関する情報を得る、前記通信システム。
【請求項１０】
前記複数のタイム・スロットのサブセットが通信データを含まない、請求項９記載の通信システム。
【請求項１１】
前記受信機が、通信システムに関する情報を使用して、通信データを含むパケットの復号化に使用する同期パラメータを設定する、請求項９記載の通信システム。
【請求項１２】
前記受信機が、通信システムに関する情報を使用して、通信データを含むパケットを復号化する、請求項９記載の通信システム。
【請求項１３】
前記通信システムが、ＴＤＭＡ通信システムである、請求項９記載の通信システム。
【請求項１４】
前記通信システムが、ＤＳＳＳ通信システムである、請求項９記載の通信システム。
【請求項１５】
ＦＥＣコードを使用せずに前記論理値が復号化される、請求項９記載の通信システム。
【請求項１６】
ＦＥＣコードを使用して前記論理値が復号化される、請求項９記載の通信システム。
【請求項１７】
前記通信システムに関する情報の中に、ヌル・データが挿入されるタイム・スロットに関連する識別子が含まれる、請求項９記載の通信システム。
【請求項１８】
前記通信システムに関する情報の中に、送信機がデータ信号を送信している電力レベルが含まれる、請求項９記載の通信システム。
【請求項１９】
データ信号が複数のタイム・スロットに分解され、複数のタイム・スロットのサブセットの中に通信システムに関する情報を表すヌル・データが含まれる、前記データ信号を解釈する方法であって、
前記複数のタイム・スロットのサブセットに対応する相関ピークを前記データ信号内で識別するステップと、
論理値と相関ピークとを関連づけるステップと、
前記通信システムに関する情報を得るために論理値を復号化するステップと、から成る、前記方法。
【請求項２０】
前記通信システムに関する情報を使用して、通信データが入っているデータ・パケットを復号化するステップを含む、請求項１９記載の方法。  
【国際調査報告】
2007525091.tif 000007